(57)【特許請求の範囲】
【請求項１】
設備機器と通信を行い、前記設備機器の動作を管理する設備機器管理装置であって、
画像表示部と、
前記画像表示部に画像を表示させる表示制御部と、
ユーザ操作を受け付ける操作入力部と、
複数の色番号と前記複数の色番号に対応する複数の表示色データとを有するカラーパレットを保存するカラーパレットデータベースと、
前記操作入力部において指定された色情報に基づいて、前記カラーパレットの前記複数の表示色データを変更するカラーパレット構築部と、
表示部品を示す部品画像データを構成する複数の画素の各々に前記色番号に対応するインデックス値を割り当てることによって構成された、前記表示部品を示す前記部品画像データを保存する部品画像データベースと、
を備え、
前記表示制御部は、前記部品画像データを構成する複数の画素の前記インデックス値を、前記インデックス値に対応する前記色番号に置き替えることによって、前記色番号を持つ前記部品画像データであるカラー部品画像データを構築し、前記カラー部品画像データを用いて前記画像表示部に前記画像を表示させる
設備機器管理装置。
【請求項２】
前記操作入力部において指定される前記色情報は、色相値に対応する情報である請求項１に記載の設備機器管理装置。
【請求項３】
前記表示制御部は、前記画像表示部に色情報設定画面を表示させ、
前記色情報設定画面は、
前記色相値を示すインジケータと、
前記色相値の変更可能範囲に対応するガイド範囲を持ち、前記インジケータは前記ガイド範囲内を長さ方向に移動可能であり、前記ガイド範囲内における前記インジケータの位置によって前記色相値を特定するインジケータガイドと、
前記インジケータの位置を変更する操作手段と
を備える請求項２に記載の設備機器管理装置。
【請求項４】
前記表示制御部は、前記画像表示部に色情報設定画面を表示させ、
前記色情報設定画面は、
現在の色相値の絶対値を示す表示領域と、
前記色相値を増加又は減少させる操作手段と
を備える請求項２に記載の設備機器管理装置。
【請求項５】
前記表示制御部は、前記画像表示部に色情報設定画面を表示させ、
前記色情報設定画面は、
現在の色相値と変更後の色相値との差である色相差分値を示す表示領域と、
前記色相差分値を増加又は減少させる操作手段と
を備える請求項２に記載の設備機器管理装置。
【請求項６】
前記表示制御部は、前記画像表示部に色情報設定画面を表示させ、
前記色情報設定画面は、
前記色相値を示すインジケータと、
前記色相値の変更可能範囲に対応するガイド範囲を持ち、前記インジケータは前記ガイド範囲内を長さ方向に移動可能であり、前記ガイド範囲内における前記インジケータの位置によって前記色相値を特定する色相スケールであるインジケータガイドと、
前記インジケータの位置を変更する操作手段と
を備える請求項２に記載の設備機器管理装置。
【請求項７】
前記表示制御部は、前記画像表示部に色情報設定画面を表示させ、
前記色情報設定画面は、
前記変更した色相値に基づいたカラーのサンプル画像を表示するサンプル画像表示領域と、
前記色相値を増加又は減少させる操作手段と
を備える請求項２に記載の設備機器管理装置。
【発明の詳細な説明】
【技術分野】
【０００１】
本発明は、設備機器を管理する設備機器管理装置に関し、特に、ユーザ操作により画像表示部の表示画像の色合いを設定することができる設備機器管理装置に関する。
【背景技術】
【０００２】
近年、建築物の壁面などに取り付けられる設備機器管理装置（例えば、空気調和機用コントローラ）に対し、画像表示部の画面の色を変更する機能を持たせることで、画面の色を壁面の色と同系統にしたいという要望がある。【０００３】
特許文献１は、画像表示部の画面を照明する３色のＬＥＤ（発光ダイオード）を備えた空気調和機用コントローラを提案している。【０００４】
また、特許文献２は、暖色系の色の操作ボタンと寒色系の色の操作ボタンを用意し、操作ボタンの配色を調整することにより、視覚を通して希望する環境をユーザに感じさせる制御装置を提案している。
【先行技術文献】
【特許文献】
【０００５】
【特許文献１】特開２０１４−１２６３１９号公報（例えば、段落００１２）
【特許文献２】特開２０１６−０３１６１６号公報（例えば、段落００６９）
【発明の概要】
【発明が解決しようとする課題】
【０００６】
しかしながら、特許文献１の装置は、画像表示部の画面の色自体を変更する機能を備えていない。【０００７】
また、特許文献２の装置は、操作ボタンの色を調整可能であるが、画面の背景色と文字色のコントラストが適切に設定するための対策が採られていないので、高齢者又は視覚弱者などにとって、文字認識が困難になることがある。【０００８】
本発明は、上記課題を解決するためになされたものであり、ユーザ操作により、画像表示部における表示画像を適切なコントラストを維持しつつ、所望の色合いに変更することができる設備機器管理装置を提供することを目的とする。
【課題を解決するための手段】
【０００９】
本発明に係る設備機器管理装置は、設備機器と通信を行い、前記設備機器の動作を管理する装置であって、画像表示部と、前記画像表示部に画像を表示させる表示制御部と、ユーザ操作を受け付ける操作入力部と、複数の色番号と前記複数の色番号に対応する複数の表示色データとを有するカラーパレットを保存するカラーパレットデータベースと、前記操作入力部において指定された色情報に基づいて、前記カラーパレットの前記複数の表示色データを変更するカラーパレット構築部と、表示部品を示す部品画像データを構成する複数の画素の各々に前記色番号に対応するインデックス値を割り当てることによって構成された、前記表示部品を示す前記部品画像データを保存する部品画像データベースと、を備え、前記表示制御部は、前記部品画像データを構成する複数の画素の前記インデックス値を、前記インデックス値に対応する前記色番号に置き替えることによって、前記色番号を持つ前記部品画像データであるカラー部品画像データを構築し、前記カラー部品画像データを用いて前記画像表示部に前記画像を表示させるものである。
【発明の効果】
【００１０】
本発明によれば、設備機器管理装置の画像表示部の表示画像を、適切なコントラストを維持しつつ、所望の色合いを変更することができるという効果が得られる。
【図面の簡単な説明】
【００１１】
【図１】本発明の実施の形態１に係る設備機器管理装置の構成を概略的に示す機能ブロック図である。
【図２】実施の形態１に係る設備機器管理装置のハードウェア構成の一例を示す図である。
【図３】実施の形態１に係る設備機器管理装置を概略的に示す外観図である。
【図４】実施の形態１における部品画像データベースの例を示す図である。
【図５】実施の形態１におけるカラーパレットデータベースの例を示す図である。
【図６】図４に示される部品画像データベースの部品画像データ（インデックス値）の例を示す図である。
【図７】図６の部品画像データ（インデックス値）と図５のカラーパレット（ＲＧＢ値）とから生成されたカラー部品画像データ（ＲＧＢ値）の例を示す図である。
【図８】実施の形態１に係る設備機器管理装置の画像表示部の色情報設定画面を示す概略図である。
【図９】実施の形態１における表示制御部による表示画像の生成動作を示すフローチャートである。
【図１０】（ａ）から（ｅ）は、実施の形態１におけるカラーパレット構築部によるカラーパレットの生成動作を示す図である。
【図１１】実施の形態１におけるカラーパレット構築部によるカラーパレットの生成動作を示すフローチャートである。
【図１２】本発明の実施の形態２に係る設備機器管理装置の画像表示部の色情報設定画面を示す概略図である。
【図１３】本発明の実施の形態３に係る設備機器管理装置の画像表示部の色情報設定画面を示す概略図である。
【図１４】本発明の実施の形態４に係る設備機器管理装置の画像表示部の色情報設定画面を示す概略図である。
【図１５】本発明の実施の形態５に係る設備機器管理装置の画像表示部の色情報設定画面を示す概略図である。
【発明を実施するための形態】
【００１２】
以下に、本発明の実施の形態に係る設備機器管理装置を、添付図面を参照しながら説明する。以下の実施の形態は、例にすぎず、本発明の範囲内で種々の変更が可能である。
【００１３】
《１》実施の形態１．
《１−１》構成
図１は、実施の形態１に係る設備機器管理装置１０の概略構成を示す機能ブロック図である。設備機器管理装置１０は、例えば、建築物の壁面などに取り付けられ、設備機器としての空気調和機の動作及び状態を管理（制御）するリモートコントロール装置である。
【００１４】
図１に示されるように、設備機器管理装置１０は、画像を表示する画像表示部１１と、ユーザ操作を受け付ける操作入力部１２と、外部との通信を行う通信部１３と、数字、文字、記号などの表示部品のデータである部品画像データを保存する部品画像データベース１６と、複数の表示色データ（カラーパレットデータ）を有するカラーパレットを保存するカラーパレットデータベース１７とを備えている。また、設備機器管理装置１０は、ユーザ操作によって指示された色情報（色相値に対応する情報）に基づいて、カラーパレットデータベース１７に保存されたカラーパレットを変更するカラーパレット構築部１５と、画像表示部１１に画像を表示させるための処理を行う表示制御部１４とを備えている。
【００１５】
表示制御部１４は、部品画像データベース１６から読み出された部品画像データとカラーパレットデータベース１７から読み出されたカラーパレットとから、表示色データを持つ部品画像データであるカラー部品画像データを構築するカラー部品画像データ構築部としての機能を持つ。また、表示制御部１４は、入力された表示データとカラー部品画像データとを用いて表示画像データを生成し、これを画像表示部１１に提供する機能を持つ。
【００１６】
なお、部品画像データベース１６とカラーパレットデータベース１７とは、半導体メモリなどの記憶装置１８に格納されている。記憶装置１８は、例えば、フラッシュメモリである。ただし、部品画像データベース１６とカラーパレットデータベース１７とは、互いに異なる記憶装置に格納されてもよい。
【００１７】
図２は、設備機器管理装置１０のハードウェア（Ｈ／Ｗ）構成の一例を示す図である。設備機器管理装置１０は、ソフトウェアとしてのプログラムを格納するメモリ３２と、メモリ３２に格納されているプログラムを実行する情報処理部としてのプロセッサ（ＣＰＵ：中央演算装置）３１とを備えている。プロセッサ３１とメモリ３２とは、設備機器管理装置１０の動作を制御する制御部３０を構成している。プロセッサ３１がプログラムを実行することにより、図１に示される表示制御部１４及びカラーパレット構築部１５を実現することができる。
【００１８】
図３は、設備機器管理装置１０を概略的に示す外観図である。図３に示されるように、設備機器管理装置１０は、壁面９０のユーザが目視可能な位置に、ネジなどの固定手段によって取り付けられる。設備機器管理装置１０は、液晶表示装置などの画像表示部１１とユーザ操作部としての操作入力部１２とを備えている。画像表示部１１と操作入力部１２とは、画像を表示する画像表示パネルとユーザ操作を受け付ける操作パネルとから構成されるタッチパネルであってもよい。画像表示部１１は、ユーザが目視可能なように配置され、操作入力部１２はユーザが操作可能なように配置される。設備機器管理装置１０は、通信線２１によって管理対象機器としての空気調和機２０に接続される。例えば、ユーザは、設備機器管理装置１０の画像表示部１１の画面を見ることで、空気調和機２０の設定温度を知ることができる。また、ユーザは、設備機器管理装置１０の操作入力部１２を操作することによって、空気調和機２０の運転状態及び設定温度を変更することができる。
【００１９】
以下に、設備機器管理装置１０の構成をより具体的に説明する。
【００２０】
画像表示部１１は、例えば、カラーＴＦＴ（Ｔｈｉｎ  Ｆｉｌｍ  Ｔｒａｎｓｉｓｔｏｒ）液晶を用いた液晶表示装置である。表示制御部１４は、画像表示部１１に、設備機器としての空気調和機の現在の設定温度を表示させることができる。表示制御部１４は、画像表示部１１に、表示部品を用いて画像を表示させることができる。表示部品は、０から９までの数字と、セ氏（摂氏）又はカ氏（華氏）を示す単位記号「°Ｃ」及び「°Ｆ」を含む。画像表示部１１は、カラー画像を表示可能である。表示制御部１４は、画像表示部１１に、ユーザが希望する色合いを入力するための色情報設定画面を表示させることができる。色情報設定画面で入力される色合いは、ユーザが希望する色に関する情報であり、例えば、色相を示す情報である。なお、一般に、設備機器管理装置１０は、規格に準拠した規定のサイズ（例えば、１２ｃｍ×１２ｃｍ又は１２ｃｍ×６ｃｍ）を持ち、画像表示部１１の画面サイズは装置のサイズよりも小さい。
【００２１】
操作入力部１２は、例えば、抵抗膜タッチパネルなどで実現可能である。操作入力部１２は、画像表示部１１と重ねて配置されており、操作入力部１２と画像表示部１１とは、ユーザが指で行うタッチ入力操作を検出するタッチパネルを構成している。操作入力部１２は、ユーザの指から受ける圧力を検知して、ユーザのタッチ位置に応じた情報を入力内容として取得する。操作入力部１２は、画像表示部１１の特定の部分に表示された表示部品としての操作ボタン（操作手段）をユーザが押したときに、「決定」、「キャンセル」、「進む」、「戻る」、「増加」、「減少」などの要求として、処理を行う。また、操作入力部１２は、画像表示部１１における、ユーザが希望する色合いの入力指示を色情報設定画面で受け付ける。
【００２２】
通信部１３は、例えば、通信用ＩＣ（集積回路）などで構成される。通信部１３は、管理対象の設備機器である空気調和機２０と通信を行う。一般に、空気調和機２０は、圧縮機と熱交換器とファンと電動機とを具備する室外機、熱交換器とファンと電動機と制御回路とを具備する室内機、及び室外機と室内機との間で冷媒を循環させるための冷媒配管とを備えている。空気調和機２０は、動作の目標温度として、設定温度情報を記憶する。設備機器管理装置１０は、通信部１３を介して、設定温度を空気調和機２０から取得することができる。また、通信部１３からコマンドを送信することで、空気調和機２０の運転状態及び設定温度の変更を行うことができる。
【００２３】
表示制御部１４は、画像表示部１１に画像を表示させる際に用いるカラー部品画像データを構築する。画像表示部１１で表示する画像は、カラー部品画像データに基づくカラー部品画像の組合せで形成される。例えば、部品画像データベース１６には、０、１、…、９の数字、単位を表す記号など部品画像データが格納されている。表示制御部１４は、部品画像データ（後述の図４及び図６に示される）と、ユーザが指定した色合いに変換されたカラーパレット（後述の図５及び図１０（ｅ）に示される）とを用いて構築されたカラー部品画像データ（後述の図７に示される）を用いて、カラー部品画像（図３に符号６１〜６３として示される）を画面の所定の座標位置に表示する。このようにして、画像表示部１１は、ユーザに対して現在の設定温度（例えば、０から９９までの数字と単位との組合せ）を表示する。
【００２４】
カラーパレット構築部１５は、ユーザが希望する色合いを実現するためのカラーパレットを構築し、記憶装置１８にカラーパレットデータベース１７として保存する。カラーパレット構築部１５は、既存のカラーパレット（後述の図１０（ａ）に示される）を読み出した後、これをＨＳＶ値に変換し（後述の図１０（ｂ）に示される）、ユーザ操作により入力された色合い（後述の図１０（ｃ）に示される）に従って、ＨＳＶ値を変更し（すなわち、色調変更処理を行い）（後述の図１０（ｄ）に示される）、変更されたＨＳＶ値を用いて新しいカラーパレット（後述の図１０（ｅ）に示される）を生成する。
【００２５】
部品画像データベース１６には、部品画像データが保存される。図４は、実施の形態１における部品画像データベース１６の例を示す図である。部品画像データは、例えば、０から９までの数字の画像データと、セ氏及びカ氏を表す記号を示す画像データを含む。
【００２６】
カラーパレットデータベース１７には、カラーパレット構築部１５によって生成されたカラーパレットが保存される。また、カラーパレットデータベース１７が持つカラーパレットデータは、表示制御部１４によって使用される。
【００２７】
図５は、実施の形態１におけるカラーパレットデータベース１７に保存されているカラーパレットの構成を示す概念図である。
【００２８】
カラーパレットは、複数（図５では、２５６個）のエントリ（すなわち、カラーパレットデータ）を含み、複数のエントリの各々は、色番号（図５では、０，…，２５５）と表示色データであるＲＧＢ値、すなわち、赤（Ｒ）値、緑（Ｇ）値、青（Ｂ）値を含む。図５の例では、色番号は０から２５５までの数値であり、色番号は、表示部品データの画素の色を指定する際に使用する。ただし、色番号の個数は、２５６個に限定されず、他の個数であってもよい。
【００２９】
色番号に対応する表示色データは、画像表示部１１に表示されるカラー部品画像を構成する画素を表示する際に使用される色を示す２４ビットフルカラーのデータである。２４ビットフルカラーのデータは、８ビットのＲ色データと８ビットのＧ色データと８ビットのＢ色データとの組み合わせのデータである。
【００３０】
図５において、テーブル構造のカラーパレットの最初のエントリは、色番号０のエントリであり、カラー部品画像の背景色を示す。図５において、色番号１以降のエントリは、カラー部品画像の数字又は文字の色、影の色、又は淵の色などを示し、カラー部品画像を構築する際に任意に決められる。図５は、カラーパレットが赤系統（緑系統の色を含む）の色合いのデータである場合を示しているが、カラーパレットの色合いはユーザ操作によって変更される。
【００３１】
図６は、図４に示される部品画像データベース１６の部品画像データ（インデックス値）の例を示す図である。また、図７は、図６の部品画像データ（インデックス値）と図５のカラーパレットとから生成されたカラー部品画像データ（ＲＧＢ値）の例を示す図である。
【００３２】
図７に示されるカラー部品画像の色（ＲＧＢ値、すなわち、図７のＰｉｘ０〜Ｐｉｘ２５５）は、図６に示される部品画像の各画素として記載されたインデックス値（色番号に対応）と、図５に示されるカラーパレットに記載された色番号に対応する表示色のエントリとを組み合わせることで決定される。例えば、図６に示される部品画像データにおける画素のインデックス値０は、図５に示されるカラーパレットの色番号０の表示色データであるＲＧＢ（０，０，０）に置き換えられ、図６に示される部品画像データにおける画素のインデックス値ｋ（ｋ＝０，１，…，２５５）は、図５に示されるカラーパレットの色番号ｋの表示色データであるＲＧＢ（ｒｋ，ｇｋ，ｂｋ）に置き換えられる。つまり、カラーパレットの表示色データが、赤系統であれば、カラー部品画像データは赤系統のデータとなり、カラーパレットの表示色データが、青系統であれば、カラー部品画像データは青系統のデータとなり、カラーパレットの表示色データが、緑系統であれば、カラー部品画像データは緑系統のデータとなる。
【００３３】
要約すると、図６に示されるように、部品画像データ（インデックス値）は表示色データを持っていないが、図６の部品画像データに図５のカラーパレットから得られた表示色データを組み合わせることで、図７に示されるような表示色データを持つ部品画像データ、すなわち、カラー部品画像データ（ＲＧＢ値）になる。
【００３４】
図８は、実施の形態１における設備機器管理装置１０の画像表示部１１の色情報設定画面を示す概略図である。図８の色情報設定画面上には、現在の色相値に対応する色調を示すインジケータ４１、左移動ボタン４２、右移動ボタン４３、決定ボタン４４、キャンセルボタン４５、及び設定可能な色調の幅を示すインジケータガイド４６を含む。インジケータガイド４６は、色相値の変更可能範囲に対応するガイド可能範囲を持ち、インジケータ４１はガイド範囲内を長さ方向に移動可能であり、ガイド範囲内におけるインジケータ４１の位置によって色相値を特定することができる。
【００３５】
インジケータ４１及びインジケータガイド４６は、現在の色相値に対応する色調を、ユーザが直感的に把握し易くするためのものである。インジケータ４１は、インジケータガイド４６上に表示され、現在の色調に該当する位置に表示される。
【００３６】
左移動ボタン４２は、インジケータ４１をインジケータガイド４６上の左方向に移動させるための操作ボタンである。右移動ボタン４３は、インジケータ４１をインジケータガイド４６上の右方向に移動させるための操作ボタンである。なお、インジケータを移動させた後の色相値は、仮の色相値であって決定ボタン４４を押すまでは決定値ではない。
【００３７】
決定ボタン４４は、前述した仮の色相値を確定させ、現在の色相値とするための操作ボタンである。キャンセルボタン４５は、前述した仮の色相値を破棄する操作ボタンである。
【００３８】
インジケータガイド４６上には、赤、青、緑などの文字により、画像表示部１１に表示される画像の色系統が示されている。これにより、ユーザは、画像表示部１１に表示される画像の色合いを、色相値を示す数値で入力するのではなく、インジケータ４１の相対位置によって変更（設定）することができる。
【００３９】
《１−２》動作
図９は、実施の形態１において、表示制御部１４がカラー部品画面データを構築し、これを用いて画像表示部１１に画像（例えば、設定温度）を表示するまでの動作を示す。
【００４０】
ステップＳ１において、表示制御部１４は、部品画像データベース１６から部品画像データを読み出し、カラーパレットデータベース１７からカラーパレットを読み出して、一時メモリ上に保存する。一時メモリは、表示制御部１４内のメモリ（図示せず）であってもよいが、図１の記憶装置１８などの他のメモリであってもよい。
【００４１】
次のステップＳ２において、表示制御部１４は、読み出された部品画像データの画素についてのインデックス値に対応する色番号の表示色データをカラーパレットから読み出し、インデックス値を対応する色番号の表示色データに置換した表示用画像データ、すなわち、カラー部品画像データを、一時メモリ上に保存する。
【００４２】
次のステップＳ３において、表示制御部１４は、読み出されたカラーパレットから、色番号０番のエントリ（最初のエントリ）の表示色を読み出して、画像表示部１１の全面を色番号０のエントリの表示色で塗りつぶし、背景色とする。
【００４３】
次のステップＳ４において、表示制御部１４は、通信部１３に空気調和機２０の現在の設定温度の取得を要求する。通信部１３は、空気調和機２０と通信し、現在の設定温度を取得して、それを表示制御部１４に渡す。この際、通信部１３は、設定温度の単位がセ氏であるのか、カ氏であるのかを示す情報も渡す。
【００４４】
次のステップＳ５において、表示制御部１４は、設定温度の十の位の数字（図３の符号６１の位置）を表示する。例えば、十の位の数値が２であれば、ステップＳ２の変換で得られたカラー部品画像データのうち、数字「２」に該当するデータを読み出して、画像表示部１１の特定の座標に書き込む。
【００４５】
次のステップＳ６において、表示制御部１４は、設定温度の一の位の数字（図３の符号６２の位置）を表示する。例えば、一の位の数値が６であれば、ステップＳ２の変換で得られたカラー部品画像データのうち、数字が「６」に該当するデータを読み出して、画像表示部１１の特定の座標に書き込む。なお、この際は、ステップＳ５で表示した十の位の数値の右隣に、画像が重ならないように表示する。
【００４６】
次のステップＳ７において、表示制御部１４は、設定温度の単位記号を表示する（図３の符号６３の位置）。例えば、セ氏であれば、ステップＳ２の変換で得られた画像データのうち、「℃」のデータを読み出して、画像表示部１１の特定の座標に書き込む。なお、この際は、ステップＳ６で表示した一の位の数値の右隣に、画像が重ならないように表示する。
【００４７】
次にユーザが指定した色調（色相値を示す色情報であり、実施の形態１においてはインジケータ４１の位置）に基づく新しいカラーパレットの構築（生成）について説明する。このカラーパレットの構築は、図９のステップＳ１の処理の前に行われる。
【００４８】
図１０（ａ）から（ｅ）は、実施の形態１におけるカラーパレット構築部１５によるカラーパレットの生成動作を示す図である。図１１は、実施の形態１におけるカラーパレット構築部１５によるカラーパレットの生成動作を示すフローチャートである。
【００４９】
ステップＳ１１において、カラーパレット構築部１５は、カラーパレットデータベース１７から、現在のカラーパレットを読み出し（図１０（ａ））、次のステップＳ１２において、各色番号に該当する表示色について、すべての色をＨＳＶ変換によりＨＳＶ値に変換する（図１０（ｂ））。
【００５０】
次のステップＳ１３において、カラーパレット構築部１５は、ステップＳ１２のＨＳＶ変換で得られた各色番号のＨＳＶ値を、ユーザが指定した色情報（色相値に対応する色情報であるインジケータ４１の位置）に基づいて変更する（図１０（ｃ）及び（ｄ））。具体的には、インジケータ４１の位置により色相値を変更し、それ以外の明度、彩度については変更をしないことにより、新しいＨＳＶ値を算出する。
【００５１】
次のステップＳ１４において、カラーパレット構築部１５は、ステップＳ１３で得られたＨＳＶ値を、ＲＧＢ変換によりＲＧＢ値（図１０（ｅ））に変換する。
【００５２】
次のステップＳ１５において、カラーパレット構築部１５は、変換されたすべてのＲＧＢ値をカラーパレットデータベース１７に書き戻す。
【００５３】
表示制御部１４は、新しいカラーパレットを参照して、カラー部品画像データを構築し、これを用いて、画像表示部１１に画像を表示するので、ユーザがインジケータ４１で指定した色調（指定した色情報）に従った色合いの画像が表示される。
【００５４】
《１−３》効果
以上に説明したように、実施の形態１に係る設備機器管理装置１０は、カラー画像を表示可能な画像表示部１１に対して、ユーザが色情報設定画面で指定した色調（色相値に対応する色情報）に基づいて、カラーパレット構築部１５がカラーパレットの表示色データを変更し、表示制御部１４が部品画像データとカラーパレットデータとを組み合わせて生成されたカラー部品画像データを用いた表示画像を生成する。このため、装置が記憶する画像データのサイズは非常に小さくてよいので、ユーザは、希望する任意の色合いの画像を、簡単な操作で設備機器管理装置１０に表示させることができる。例えば、設備機器管理装置１０は、画像表示部１１に表示される画像の色を、壁面９０と同系統の色にすることによって、インテリアにマッチした表示画面を提供することができる。
【００５５】
また、以上に説明したように、色情報設定画面において、色の現在値（色相値）を示すインジケータ４１と色の全体での位置を示すインジケータガイド４６とを表示し、ユーザはインジケータ４１を移動させることにより、表示画面の色合いを希望する色系統の色に容易に変更することができる。
【００５６】
《２》実施の形態２．
上記実施の形態１では、画像表示部１１に表示される色情報設定画面において、インジケータ４１とインジケータガイド４６とが表示され、ユーザがインジケータガイド４６上でインジケータ４１を動かす操作によって、画面の色合いを変更する例を説明した。
【００５７】
実施の形態２に係る設備機器管理装置は、色情報設定画面においてＨＳＶ値である色相値を数値で指定する点が、実施の形態１のものと相違する。この点を除き、実施の形態２は、実施の形態１と同じである。したがって、実施の形態２の説明では、図１から図５をも参照する。
【００５８】
図１２は、実施の形態２に係る設備機器管理装置の画像表示部１１の色情報設定画面を示す概略図である。色情報設定画面は、色相値を示す色相値表示ボックス５１と、操作手段である、加算ボタン５２、減算ボタン５３、決定ボタン５４、及びキャンセルボタン５５を有する。
【００５９】
色相値表示ボックス５１は、現在の色相値を表示する。現在の色相値は、例えば、０から３６０までの間の整数値（ＨＳＶ値の色相）として表示される。
【００６０】
加算ボタン５２は、色相値を増加させる（１加算する）ための操作ボタンである。色相値が３６０のときは、加算ボタン５２を押した際は、色相値は０になる。なお、加算ボタン５２によって加算した後の色相値は、仮の色相値であって決定ボタン５４を押す前は決定値ではない。
【００６１】
減算ボタン５３は、色相値を減少させる（１減算する）ための操作ボタンである。色相値が０のときは、減算ボタン５３を押した際は、色相値は３６０になる。なお、減算ボタン５３によって減算した後の色相値は、仮の色相値であって決定ボタン５４を押す前は決定値ではない。
【００６２】
決定ボタン５４は、前述した仮の色相値を確定させ、現在の色相値とするための操作ボタンである。キャンセルボタン５５は、前述した仮の色相値を破棄する操作ボタンである。
【００６３】
以上に説明したように、実施の形態２に係る設備機器管理装置は、色相値を数値として表示し、加算及び減算で色相値を数値として設定するようにしているので、設備機器の初期設定を行う施工者などは、指示された通りの値を正確に入力することができる。
【００６４】
《３》実施の形態３．
上記実施の形態１及び２では、画像表示部１１に表示される色情報設定画面において、ユーザが希望する色調を、インジケータ４１の位置又は色相値を示す数値によって設定する構成を説明した。
【００６５】
実施の形態３に係る設備機器管理装置は、色情報設定画面において色相値の差である色相差分値を数値で指定する点が、実施の形態１及び２のものと相違する。この点を除き、実施の形態３は、実施の形態１及び２と同じである。したがって、実施の形態３の説明では、図１から図５をも参照する。
【００６６】
図１３は、実施の形態３に係る設備機器管理装置の画像表示部１１の色情報設定画面を示す概略図である。色情報設定画面は、現在の色相値からの差分を示す色相差分値を表示する色相差分値表示ボックス５６、加算ボタン５２、減算ボタン５３、決定ボタン５４、キャンセルボタン５５で構成される。
【００６７】
色相差分値表示ボックス５６は、現在の色相値からの変化量を表示するためのものである。色相差分値は＋１８０から−１８０までの範囲内の整数値として表示される。
【００６８】
加算ボタン５２は、色相差分値を増加させる（１加算する）ための操作ボタンである。色相差分値が＋１８０のときに、加算ボタン５２を押した際は、色相差分値は−１８０になる。なお、加算ボタン５２によって加算した後の色相値は、仮の色相値であって決定ボタン５４を押す前は決定値ではない。
【００６９】
減算ボタン５３は、色相差分値を減少させる（１減算する）ための操作ボタンである。色相差分値が−１８０のときに、減算ボタン５３を押した際は、色相差分値は＋１８０になる。なお、減算ボタン５３によって減算した後の色相値は、仮の色相値であって決定ボタン５４を押す前は決定値ではない。
【００７０】
決定ボタン５４は、前述した色相差分値を元に、色相値を変更して値を確定させ、現在の色相値とするための操作ボタンである。なお、新しい色相値は、次式によって算出される。
（新しい色相値）＝（現在の色相値）＋（色相差分値）
【００７１】
キャンセルボタン３５は、前述した色相差分値を破棄する操作ボタンである。
【００７２】
以上に説明したように、実施の形態３に係る設備機器管理装置は、現在の色相値からの差分値を数値として表示し、加算及び減算で色相差分値を数値として設定するようにしているので、運用途中にユーザが色の調整をする場合に、表示画面の色合いを容易に変更することができる。
【００７３】
《４》実施の形態４．
上記実施の形態１から３では、画像表示部１１に表示される色情報設定画面において、ユーザが希望する色調を、インジケータ４１の位置、色相値、又は色相差分値によって設定する構成を説明した。すなわち、上記実施の形態１から３では、色情報設定画面で色情報を変更可能なユーザは、色に関するある程度の専門知識を持つ者に限られる。
【００７４】
実施の形態４に係る設備機器管理装置は、色情報設定画面において色相値を色見本であるカラーバー（色相スケール）上で指定する点が、実施の形態１から３のものと相違する。この点を除き、実施の形態４は、実施の形態１から３と同じである。したがって、実施の形態４の説明では、図１から図５をも参照する。実施の形態４の場合は、色相値、色相差分値といった専門用語の意味を理解していないユーザが色情報設定画面における設定を容易に行うことができる。
【００７５】
図１４は、実施の形態４に係る設備機器管理装置の画像表示部１１の色情報設定画面を示す概略図である。色情報設定画面は、現在の色調を示すインジケータ５７、左移動ボタン５２、右移動ボタン５３、決定ボタン５４、キャンセルボタン５５、及び設定可能な色調をカラーバー（色相スケール）で示したインジケータガイド５８を有する。インジケータガイド５８として用いられるカラーバーは、ＨＳＶ表色系における色相スケールとして公知のものを用いることができる。また、カラーバーは、色相リングであってもよい。
【００７６】
インジケータ５７は、現在の色調を、ユーザが直感的に理解できるようにするために提示される。インジケータ５７は、インジケータガイド５８上に表示され、現在の色調に該当する位置に表示する。
【００７７】
左移動ボタン５２、右移動ボタン５３、決定ボタン５４、キャンセルボタン５５は、実施の形態１から３のものと同様である。
【００７８】
以上に説明したように、実施の形態４に係る設備機器管理装置は、インジケータガイド５８が、赤、青、緑などの色が連続的に変化するように形成された色相スケールとなっており、ユーザは直感的に設定したい色を選ぶことができる。具体的にはカラーバーの様に表示されている。これにより、ユーザは、専門用語を理解していない場合であっても、表示画面の色合いとして自分が設定したい色合いを容易に設定することができる。
【００７９】
《５》実施の形態５．
上記実施の形態１から３では、画像表示部１１に表示される色情報設定画面において、ユーザが希望する色調を、インジケータ４１の位置、色相値、又は色相差分値によって設定する構成を説明した。すなわち、上記実施の形態１から３では、色情報設定画面で色情報を変更可能なユーザは、色に関するある程度の専門知識を持つ者に限られる。
【００８０】
実施の形態５に係る設備機器管理装置は、色情報設定画面において、実際に表示される画面のカラーのサンプル画像を目視しながら、ユーザが使用したい色合いを決めることができる点が、実施の形態１から４のものと相違する。この点を除き、実施の形態５は、実施の形態１から４と同じである。したがって、実施の形態５の説明では、図１から図５をも参照する。実施の形態５の場合も、色相値、色相差分値といった専門用語の意味を理解していないユーザが色情報設定画面における設定を容易に行うことができる。
【００８１】
図１５は、実施の形態５に係る設備機器管理装置の画像表示部１１の色情報設定画面を示す概略図である。色情報設定画面は、現在の画像の色調を示すサンプル画像５９、加算ボタン５２、減算ボタン５３、決定ボタン５４、及びキャンセルボタン５５を有する。サンプル画像５９は、現在の色相値に従って表示される画像の色合いのサンプルを、ユーザに提示し、ユーザが直感的に色合いを理解できるようにするためのものである。
【００８２】
加算ボタン５２、減算ボタン５３、決定ボタン５４、及びキャンセルボタン５５は、上記実施の形態２から４のものと同じである。
【００８３】
以上に説明したように、実施の形態５に係る設備機器管理装置は、加算ボタン５２又は減算ボタン５３を押した際に、色相値に従った色合いをサンプル画像に即時に反映してユーザに逐次提示することにより、ユーザは最終的な画面のイメージを目視で確認しながら、所望の色合いに設定することができる。これにより、ユーザは、専門用語を理解していない場合であっても、表示画面の色合いとして自分が設定したい色合いを容易に設定することができる。
【産業上の利用可能性】
【００８４】
本発明の活用例として、空気調和機の管理及び遠隔制御を行う設備機器管理装置としてのコントロール装置がある。また、管理対象の設備機器は、照明設備及び警備システムなどのような他の設備機器にも適用可能である。
【符号の説明】
【００８５】
１０  設備機器管理装置、  １１  画像表示部、  １２  操作入力部、  １３  通信部、  １４  表示制御部、  １５  カラーパレット構築部、  １６  部品画像データベース、  １７  カラーパレットデータベース、  １８  記憶装置、  ３１  プロセッサ、  ３２  メモリ、  ２０  空気調和機、  ９０  壁面。
【図１】
0006700477.tif 000002
【図２】
0006700477.tif 000003
【図３】
0006700477.tif 000004
【図４】
0006700477.tif 000005
【図５】
0006700477.tif 000006
【図６】
0006700477.tif 000007
【図７】
0006700477.tif 000008
【図８】
0006700477.tif 000009
【図９】
0006700477.tif 000010
【図１０】
0006700477.tif 000011
【図１１】
0006700477.tif 000012
【図１２】
0006700477.tif 000013
【図１３】
0006700477.tif 000014
【図１４】
0006700477.tif 000015
【図１５】
0006700477.tif 000016